【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
カラーマッチングの対象の複数の異なる画像機器の分光特性データを取得する取得手段と、
複数の色再現特性テーブルを生成し、それぞれの色再現特性テーブルは前記複数の異なる画像機器のそれぞれ１つに対応し、それぞれの色再現特性テーブルは前記分光特性データから等色関数の複数のセットを用いて算出した三刺激値の複数のセットを含む、第一の生成手段と、
前記複数の異なる画像機器を用いて、三刺激値の補正係数を設定する設定手段と、
色再現特性テーブルのそれぞれについて、前記補正係数を用いて、前記色再現特性テーブルに含まれる前記三刺激値の複数のセットから補正後の三刺激値を算出する算出手段と、
前記複数の異なる画像機器の前記色再現特性テーブルに含まれる前記補正後の三刺激値を用いて、前記複数の異なる画像機器間のカラーマッチング用のテーブルを生成する第二の生成手段とを有する色処理装置。
【請求項２】
前記設定手段は、前記色再現特性テーブルのそれぞれに含まれる前記三刺激値の複数のセットの色度を算出し、前記複数の異なる画像機器の１つから前記補正係数の調整用の調整画像の生成条件を入力し、前記算出した色度および前記生成条件に基づき前記色再現特性テーブルを参照して、前記複数の異なる画像機器の前記１つに出力すべき、前記補正係数に対応する調整画像データを生成する請求項１に記載された色処理装置。
【請求項３】
前記設定手段は、前記複数の異なる画像機器の前記１つの分光特性データから生成された前記色再現特性テーブルを参照して前記複数の異なる画像機器の前記１つに出力すべき前記調整画像データを生成し、前記複数の異なる画像機器の他の１つの分光特性データから生成された前記色再現特性テーブルを参照して前記複数の異なる画像機器の前記他の１つに出力すべき調整画像データを生成する請求項２に記載された色処理装置。
【請求項４】
前記設定手段は、前記複数の異なる画像機器の前記１つから入力される調整情報に応じて前記補正係数を変更し、前記変更した補正係数に応じた前記複数の異なる画像機器の前記１つに出力すべき調整画像データを再生成する請求項３に記載された色処理装置。
【請求項５】
前記設定手段は、前記生成条件および前記調整情報を入力するためのユーザインタフェイスを前記画像機器に供給する請求項４に記載された色処理装置。
【請求項６】
前記生成条件は、前記調整画像の色度を含む請求項２から請求項５の何れか一項に記載された色処理装置。
【請求項７】
前記等色関数の複数のセットには、テスト刺激として彩度の高い複数の単色光の合成を用いる第一の等色実験によって導出された等色関数の第一のセットと、前記テスト刺激として単一の白色光を用いる第二の等色実験によって導出された等色関数の第二のセットが含まれる請求項１から請求項６の何れか一項に記載された色処理装置。
【請求項８】
カラーマッチングの対象の複数の異なる画像機器の分光特性データを取得し、
複数の色再現特性テーブルを生成し、ここでそれぞれの色再現特性テーブルは前記複数の異なる画像機器のそれぞれ１つに対応し、それぞれの色再現特性テーブルは前記分光特性データから等色関数の複数のセットを用いて算出した三刺激値の複数のセットを含み、
前記複数の異なる画像機器を用いて、三刺激値の補正係数を設定し、
色再現特性テーブルのそれぞれについて、前記補正係数を用いて、前記色再現特性テーブルに含まれる前記三刺激値の複数のセットから補正後の三刺激値を算出し、
前記複数の異なる画像機器の前記色再現特性テーブルに含まれる前記補正後の三刺激値を用いて、前記複数の異なる画像機器間のカラーマッチング用のテーブルを作成する色処理方法。
【請求項９】
等色関数の複数のセットを用いて、入力される分光データから三刺激値の複数のセットを算出する第一の算出手段と、
前記等色関数の複数のセットの導出方法に基づき、三刺激値の補正係数を算出する第二の算出手段と、
前記補正係数を用いて、前記三刺激値の複数のセットから補正後の三刺激値を算出する第三の算出手段とを有し、
前記等色関数の複数のセットには、テスト刺激として彩度の高い複数の単色光の合成を用いる第一の等色実験によって導出された等色関数の第一のセットと、テスト刺激として単一の白色光を用いる第二の等色実験によって導出された等色関数の第二のセットが少なくとも含まれ、
前記第二の算出手段は、
前記白色光の色度を算出し、前記等色関数の第一または第二のセットを用いて算出された三刺激値を用いて変換対象色の色度を算出し、
前記白色光の色度および前記変換対象色の色度から色相に関連する角度を算出し、
前記角度に対応する色相に最も近い色相を有する単色光を前記テスト刺激に用いる前記第一の等色実験における前記単色光の色度を算出し、
前記白色光の色度、前記変換対象色の色度、および、前記単色光の色度を用いて前記変換対象色の彩度を算出し、
前記彩度に基づき前記補正係数を算出する
ことを特徴とする色処理装置。
【請求項１０】
前記第三の算出手段は、前記補正係数を用いて、前記三刺激値の複数のセットの線形和を前記補正後の三刺激値として算出する請求項９に記載された色処理装置。
【請求項１１】
等色関数の複数のセットを用いて、入力される分光データから三刺激値の複数のセットを算出し、
前記等色関数の複数のセットの導出方法に基づき、三刺激値の補正係数を算出し、
前記補正係数を用いて、前記三刺激値の複数のセットから補正後の三刺激値を算出する色処理方法であって、
前記等色関数の複数のセットには、テスト刺激として彩度の高い複数の単色光の合成を用いる第一の等色実験によって導出された等色関数の第一のセットと、テスト刺激として単一の白色光を用いる第二の等色実験によって導出された等色関数の第二のセットが少なくとも含まれ、
前記三刺激値の補正係数を算出することは、
前記白色光の色度を算出し、前記等色関数の第一または第二のセットを用いて算出された三刺激値を用いて変換対象色の色度を算出し、
前記白色光の色度および前記変換対象色の色度から色相に関連する角度を算出し、
前記角度に対応する色相に最も近い色相を有する単色光を前記テスト刺激に用いる前記第一の等色実験における前記単色光の色度を算出し、
前記白色光の色度、前記変換対象色の色度、および、前記単色光の色度を用いて前記変換対象色の彩度を算出し、
前記彩度に基づき前記補正係数を算出することを含む
ことを特徴とする色処理方法。
【請求項１２】
コンピュータを請求項１乃至７、９、及び１０の何れか一項に記載された色処理装置の各手段として機能させるためのプログラム。
【請求項１３】
請求項１２に記載されたプログラムが記録されたコンピュータが読み取り可能な記録媒体。
【手続補正２】
【補正対象書類名】明細書
【補正対象項目名】００１３
【補正方法】変更
【補正の内容】
【００１３】
本発明にかかる色処理装置は、
等色関数の複数のセットを用いて、入力される分光データから三刺激値の複数のセットを算出する第一の算出手段と、
前記等色関数の複数のセットの導出方法に基づき、三刺激値の補正係数を算出する第二の算出手段と、
前記補正係数を用いて、前記三刺激値の複数のセットから補正後の三刺激値を算出する第三の算出手段とを有し、
前記等色関数の複数のセットには、テスト刺激として彩度の高い複数の単色光の合成を用いる第一の等色実験によって導出された等色関数の第一のセットと、テスト刺激として単一の白色光を用いる第二の等色実験によって導出された等色関数の第二のセットが少なくとも含まれ、
前記第二の算出手段は、
前記白色光の色度を算出し、前記等色関数の第一または第二のセットを用いて算出された三刺激値を用いて変換対象色の色度を算出し、
前記白色光の色度および前記変換対象色の色度から色相に関連する角度を算出し、
前記角度に対応する色相に最も近い色相を有する単色光を前記テスト刺激に用いる前記第一の等色実験における前記単色光の色度を算出し、
前記白色光の色度、前記変換対象色の色度、および、前記単色光の色度を用いて前記変換対象色の彩度を算出し、
前記彩度に基づき前記補正係数を算出する。
【手続補正３】
【補正対象書類名】明細書
【補正対象項目名】００１４
【補正方法】変更
【補正の内容】
【００１４】
また、
カラーマッチングの対象の複数の異なる画像機器の分光特性データを取得する取得手段と、
複数の色再現特性テーブルを生成し、それぞれの色再現特性テーブルは前記複数の異なる画像機器のそれぞれ１つに対応し、それぞれの色再現特性テーブルは前記分光特性データから等色関数の複数のセットを用いて算出した三刺激値の複数のセットを含む、第一の生成手段と、
前記複数の異なる画像機器を用いて、三刺激値の補正係数を設定する設定手段と、
色再現特性テーブルのそれぞれについて、前記補正係数を用いて、前記色再現特性テーブルに含まれる前記三刺激値の複数のセットから補正後の三刺激値を算出する算出手段と、
前記複数の異なる画像機器の前記色再現特性テーブルに含まれる前記補正後の三刺激値を用いて、前記複数の異なる画像機器間のカラーマッチング用のテーブルを生成する第二の生成手段とを有する。